(57)【要約】【課題】  複雑な配線状態に対しても、分電盤とコンセント間での対応関係を正確に把握することができる配線検出システムを提供する。【解決手段】  本発明に係る配線検出システムＡは、分電盤２内の既設ブレーカ３配下の配線から電力供給を受けるコンセント４に接続するコンセント接続装置６のコンセントＩＤを、配線検出テスト時に、既設ブレーカ３に並列接続されるコンセント接続装置６に送信し、コンセント接続装置６の第１提示出力部５６にコンセントＩＤを提示出力する。【選択図】図１
2006197703.tif 000002
【特許請求の範囲】
【請求項１】
分電盤に設けた主ブレーカと、
該主ブレーカの配下の電力線に接続されたコンセントと、
前記主ブレーカに並列接続され、他のブレーカへの電力線搬送通信信号伝達を阻止する高周波チョークと、電力線搬送通信が可能であり自機と接続する配下の後記コンセント接続装置の固有情報を受信する第１電力線搬送通信部と、前記高周波チョークと前記第１電力線搬送通信部とを電力線上に接続可能とするテストスイッチ切替部と、前記固有情報情報を記憶する第１記憶部と、該第１記憶部に記憶している情報を提示又は外部機器に出力する第１提示出力部と、自機に接続される配下の下位配線に正常な電力が供給できたか否かを検出する通電検出部と、前記主ブレーカによる下位配線への電力供給をオンオフする電力供給操作部と、前記各部を制御する第１制御部と、を備えた電力線搬送用ブレーカ装置と、
前記コンセントに接続され、電力線搬送通信が可能であり前記固有情報である自機固有のコンセントＩＤを前記電力線搬送用ブレーカ装置に送信する第２電力線搬送通信部と、前記コンセントＩＤを予め記憶する第２記憶部と、前記各部を制御する第２制御部と、を備えたコンセント接続装置と、
を具備し、
前記電力線を介して、前記コンセント接続装置から前記電力線搬送用ブレーカ装置へと前記コンセントＩＤを送信して、前記第１提示出力部に前記コンセントＩＤを提示出力することを特徴とする配線検出システム。
【請求項２】
分電盤に設けた主ブレーカと、
該主ブレーカの配下の電力線に接続されたコンセントと、
前記主ブレーカに並列接続され、他のブレーカへの電力線搬送通信信号伝達を阻止する高周波チョークと、電力線搬送通信が可能であり後記コンセント接続装置へ自機固有のブレーカＩＤを送信する第１電力線搬送通信部と、前記高周波チョークと前記第１電力線搬送通信部とを電力線上に接続可能とするテストスイッチ切替部と、前記ブレーカＩＤを予め記憶する第１記憶部と、自機に接続される配下の下位配線に正常な電力が供給できたか否かを検出する通電検出部と、前記主ブレーカによる下位配線への電力供給をオンオフする電力供給操作部と、前記各部を制御する第１制御部と、を備えた電力線搬送用ブレーカ装置と、
前記コンセントに接続され、電力線搬送通信が可能であり前記電力線搬送用ブレーカ装置から前記ブレーカＩＤを受信する第２電力線搬送通信部と、取得した前記ブレーカＩＤを記憶する第２記憶部と、該第２記憶部に記憶している情報を提示又は外部機器に出力する第２提示出力部と、前記各部を制御する第２制御部と、を備えたコンセント接続装置と、
を具備し、
前記電力線を介して、前記電力線搬送用ブレーカ装置から前記コンセント接続装置へと前記ブレーカＩＤを送信して、前記第２提示出力部に前記ブレーカＩＤを提示出力することを特徴とする配線検出システム。
【請求項３】
前記第２提示出力部は、前記ブレーカＩＤを前記コンセント表面の所定箇所に印字出力する機能を備えた請求項２に記載の配線検出システム。
【請求項４】
前記電力線搬送用ブレーカ装置は、前記第１記憶部に記憶している情報を提示又は外部機器に出力する第１提示出力部を備えた請求項２又は請求項３に記載の配線検出システム。
【請求項５】
前記コンセント接続装置は、自機の位置情報を検出可能である位置検出部を備え、前記第２制御部は、前記位置情報を前記電力線搬送用ブレーカ装置に送信する機能を備え、前記第１制御部は、受信した前記位置情報を前記第１記憶部に記憶させ、該記憶した前記位置情報を前記第１提示出力部に提示出力する請求項１乃至請求項４のいずれかに記載の配線検出システム。
【請求項６】
前記コンセント接続装置は、自機の前記第２電力線搬送通信部と前記第１電力線搬送通信部との間の第１接続情報である通信品質又はデータ伝送時間の少なくとも一方を検出する接続情報検出部を備え、前記第２制御部は、前記接続情報検出部で取得した第１接続情報を前記電力線搬送用ブレーカ装置に送信し、
前記第１制御部は、受信した前記第１接続情報を前記第１提示出力部に提示出力する請求項１乃至請求項５のいずれかに記載の配線検出システム。
【請求項７】
前記コンセント接続装置が複数ある場合、前記接続情報検出部は、同じ前記電力線搬送用ブレーカ装置の配下に接続されている他の前記コンセント接続装置との間の第２接続情報である通信品質又はデータ伝送時間の少なくとも一方を検出し、前記第１接続情報に加え前記第２接続情報も前記電力線搬送用ブレーカ装置に送信する請求項６に記載の配線検出システム。
【発明の詳細な説明】
【技術分野】
【０００１】
本発明は、電力線等の配線に関する情報を検出する配線検出システムに関するものである。
【背景技術】
【０００２】
戸建て住宅、集合住宅、庁舎、ホール、商業ビル、オフィス及び工場等の建物には、照明機器、空調機器、計測機器及び防犯機器等の様々な機器が設置されている。従来、電力線等の配線変更工事等は、予め分電盤とコンセントとを対応させる配線図を作成してから施工を行っており、また、配線変更工事等を行った後には、配線図は、施工者等の人手により修正されていた。
【０００３】
また、従来の配線検出システムとしては、施工者等の人手によらないで分岐ブレーカを特定する分岐ブレーカの特定装置を用い、コンセントと分電盤内の活線状況を特定するものを挙げることができる（例えば、特許文献１参照。）。
【特許文献１】特開平５−１９９６２４号公報
【発明の開示】
【発明が解決しようとする課題】
【０００４】
ところが、上述のような人手による配線図の修正では、例えば既築の建物をリニューアルした場合、リニューアルの回数を重ねるにつれて当初の配線系統からは全く見当もつかない複雑な配線状態になってしまい、現在の実際の配線がどのようになっているのか分からなくなってしまうという問題点があった。また、施工者は、配線変更工事等を行う場合には、前からあった古い配線を撤去することなくそのままにしながら、それに付加する形で新しく配線を敷設することが多いため、新旧の配線が混在して、現在の実際の配線がどのようになっているのか分からなくなってしまうという問題点があった。
【０００５】
また、上述のような配線検出システムにおいては、分岐ブレーカの特定装置によりコンセントと分電盤内の活線状況を特定することはできるものの、活線状況を検出した後は、やはり人手による配線図の修正等が必要であるため、複雑な配線状態には不向きであるという問題点があった。
【０００６】
本発明は上記問題点を改善するためになされたものであり、複雑な配線状態に対しても、分電盤とコンセント間での対応関係を正確に把握することができる配線検出システムを提供することを目的とするものである。
【課題を解決するための手段】
【０００７】
上述の目的を達成するために、本発明の請求項１に係る配線検出システムは、分電盤に設けた主ブレーカと、該主ブレーカの配下の電力線に接続されたコンセントと、前記主ブレーカに並列接続され、他のブレーカへの電力線搬送通信信号伝達を阻止する高周波チョークと、電力線搬送通信が可能であり自機と接続する配下の後記コンセント接続装置の固有情報を受信する第１電力線搬送通信部と、前記高周波チョークと前記第１電力線搬送通信部とを電力線上に接続可能とするテストスイッチ切替部と、前記固有情報情報を記憶する第１記憶部と、該第１記憶部に記憶している情報を提示又は外部機器に出力する第１提示出力部と、自機に接続される配下の下位配線に正常な電力が供給できたか否かを検出する通電検出部と、前記主ブレーカによる下位配線への電力供給をオンオフする電力供給操作部と、前記各部を制御する第１制御部と、を備えた電力線搬送用ブレーカ装置と、前記コンセントに接続され、電力線搬送通信が可能であり前記固有情報である自機固有のコンセントＩＤを前記電力線搬送用ブレーカ装置に送信する第２電力線搬送通信部と、前記コンセントＩＤを予め記憶する第２記憶部と、前記各部を制御する第２制御部と、を備えたコンセント接続装置と、を具備し、前記電力線を介して、前記コンセント接続装置から前記電力線搬送用ブレーカ装置へと前記コンセントＩＤを送信して、前記第１提示出力部に前記コンセントＩＤを提示出力する。
【０００８】
また、本発明の請求項２に係る配線検出システムは、分電盤に設けた主ブレーカと、該主ブレーカの配下の電力線に接続されたコンセントと、前記主ブレーカに並列接続され、他のブレーカへの電力線搬送通信信号伝達を阻止する高周波チョークと、電力線搬送通信が可能であり後記コンセント接続装置へ自機固有のブレーカＩＤを送信する第１電力線搬送通信部と、前記高周波チョークと前記第１電力線搬送通信部とを電力線上に接続可能とするテストスイッチ切替部と、前記ブレーカＩＤを予め記憶する第１記憶部と、自機に接続される配下の下位配線に正常な電力が供給できたか否かを検出する通電検出部と、前記主ブレーカによる下位配線への電力供給をオンオフする電力供給操作部と、前記各部を制御する第１制御部と、を備えた電力線搬送用ブレーカ装置と、前記コンセントに接続され、電力線搬送通信が可能であり前記電力線搬送用ブレーカ装置から前記ブレーカＩＤを受信する第２電力線搬送通信部と、取得した前記ブレーカＩＤを記憶する第２記憶部と、該第２記憶部に記憶している情報を提示又は外部機器に出力する第２提示出力部と、前記各部を制御する第２制御部と、を備えたコンセント接続装置と、を具備し、前記電力線を介して、前記電力線搬送用ブレーカ装置から前記コンセント接続装置へと前記ブレーカＩＤを送信して、前記第２提示出力部に前記ブレーカＩＤを提示出力する。
【０００９】
また、本発明の請求項３に係る配線検出システムは、請求項２に記載の配線検出システムにおいて、前記第２提示出力部は、前記ブレーカＩＤを前記コンセント表面の所定箇所に印字出力する機能を備える。
【００１０】
また、本発明の請求項４に係る配線検出システムは、請求項２又は請求項３に記載の配線検出システムにおいて、前記電力線搬送用ブレーカ装置は、前記第１記憶部に記憶している情報を提示又は外部機器に出力する第１提示出力部を備える。
【００１１】
また、本発明の請求項５に係る配線検出システムは、請求項１乃至請求項４のいずれかに記載の配線検出システムにおいて、前記コンセント接続装置は、自機の位置情報を検出可能である位置検出部を備え、前記第２制御部は、前記位置情報を前記電力線搬送用ブレーカ装置に送信する機能を備え、前記第１制御部は、受信した前記位置情報を前記第１記憶部に記憶させ、該記憶した前記位置情報を前記第１提示出力部に提示出力する。
【００１２】
また、本発明の請求項６に係る配線検出システムは、請求項１乃至請求項５のいずれかに記載の配線検出システムにおいて、前記コンセント接続装置は、自機の前記第２電力線搬送通信部と前記第１電力線搬送通信部との間の第１接続情報である通信品質又はデータ伝送時間の少なくとも一方を検出する接続情報検出部を備え、前記第２制御部は、前記接続情報検出部で取得した第１接続情報を前記電力線搬送用ブレーカ装置に送信し、前記第１制御部は、受信した前記第１接続情報を前記第１提示出力部に提示出力する。
【００１３】
また、本発明の請求項７に係る配線検出システムは、請求項１乃至請求項６のいずれかに記載の配線検出システムにおいて、前記コンセント接続装置が複数ある場合、前記接続情報検出部は、同じ前記電力線搬送用ブレーカ装置の配下に接続されている他の前記コンセント接続装置との間の第２接続情報である通信品質又はデータ伝送時間の少なくとも一方を検出し、前記第１接続情報に加え前記第２接続情報も前記電力線搬送用ブレーカ装置に送信する。
【発明の効果】
【００１４】
このような構成の配線検出システムは、既築の建物に対してリニューアル等の工事を重ねた末に配線状態が築当初の配線系統図からは全く見当もつかなくなってしまったというような複雑な配線状態に対しても、分電盤とコンセント間での対応関係を正確に把握することができる。
【発明を実施するための最良の形態】
【００１５】
以下、本発明に係る実施形態を図面に基づいて説明する。なお、各図において、同一の符号を付した構成は、同一の構成であることを示し、その説明を省略する。ここで、本明細書において、部位を総称する場合には添字を省略した参照符号で示し、部位の個別の構成をさす場合には添字を付した参照符号で示す。
【００１６】
（第１実施形態）
本発明の第１実施形態を図１及び図２に基づいて説明する。図１は、本発明の第１実施形態に係る配線検出システムＡを示す構成図であり、図２は、電力線搬送用ブレーカ装置５及びコンセント接続装置６を示すブロック図である。
【００１７】
配線検出システムＡは、図１に示すように、屋外の電柱等から各家庭やオフィス等の建物（不図示）内に引き込まれる電力線１と、電力線１に接続され主ブレーカである複数個（第１実施形態においては２つ）の既設のブレーカ３（以降、既設ブレーカ３と称する。）に対して電力線１からの電力を分配する分電盤２と、複数個の既設ブレーカ３の配下の配線に接続され電力供給を受けて家電機器（不図示）等を接続したり後述のコンセント接続装置６を接続する複数個のコンセント４と、電力線搬送用ブレーカ装置５と、コンセント接続装置６とを備えた構成である。なお、既設ブレーカ３、電力線搬送用ブレーカ装置５の下流側に接続されるコンセント４、コンセント接続装置６を配下のものという（例えば、コンセント４ａ−１、４ａ−２、コンセント接続装置６ａ−１、６ａ−２からすれば、自機が接続された既設ブレーカ３ａ、電力線搬送用ブレーカ装置５ａが配上のものとなる。また、コンセント４ｂ−１、４ｂ−２、コンセント接続装置６ｂ−１、６ｂ−２からすれば、自機が接続された既設ブレーカ３ｂ、電力線搬送用ブレーカ装置５ｂが配上のものとなる。）。
【００１８】
なお、既設ブレーカ３は、コンセント４に接続された家電機器等にショート等の不具合が生じた場合に、自機の配下の配線への電力供給を遮断し、コンセント４に接続された家電機器等に発生したトラブルを防ぐものである。
【００１９】
ここで、第１実施形態においては、分電盤２は、既設ブレーカ３の数と同じ個数の電力線搬送用ブレーカ装置５とを備えている。
【００２０】
電力線搬送用ブレーカ装置５は、図２（ａ）に示すように、既設ブレーカ３の電力取得端子（不図示）と並列に接続可能である電力取得端子（不図示）を備えて既設ブレーカ３に並列接続され、他の電力線搬送用ブレーカ装置５への電力線搬送通信（ＰＬＣ）信号伝達を阻止する高周波チョーク５１と、電力線搬送通信が可能であり自機と接続する配下のコンセント接続装置６の固有情報である自機固有のコンセントＩＤを受信する第１電力線搬送通信部５２（以降、第１ＰＬＣ部５２と称する。）と、高周波チョーク５１と第１ＰＬＣ部５２とを電力線１上に接続可能とするテストスイッチ切替部５３と、コンセント４に接続されたコンセント接続装置６や家電機器等にショート等の問題が生じた場合に電力供給をストップさせる内蔵ブレーカ５４と、受信したコンセントＩＤを記憶する第１記憶部５５と、第１記憶部５５に記憶している情報を提示又は外部機器（不図示）に出力する第１提示出力部５６と、自機に接続される配下の下位配線に正常な電力が供給できたか否かを検出する通電検出部５７と、既設ブレーカ３による下位配線への電力供給をオンオフする電力供給操作部５８と、前記各部を制御する第１制御部５９とを備えた構成である。
【００２１】
なお、高周波チョーク５１は、複数の電力搬送用ブレーカ装置５（５ａ、５ｂ）が存在する場合に、一方の電力搬送用ブレーカ装置５ａから他の電力搬送用ブレーカ装置５ｂへ（また、一方の電力搬送用ブレーカ装置５ｂから他の電力搬送用ブレーカ装置５ａへ）、電力線搬送通信情報が伝達しないようにするために第１ＰＬＣ部５２より上流側に設けられている。つまり、高周波チョーク５１は、ある電力搬送用ブレーカ装置５の配下にあるコンセント接続装置６のコンセントＩＤを、他の電力搬送用ブレーカ装置５では受信できないようにしている。
【００２２】
また、コンセント接続装置６は、例えば、配線検出テスト時に、図２（ｂ）に示すようにコンセント４にコンセント４の差込口（不図示）に接続され、電力線搬送通信が可能であり自機固有のコンセントＩＤを電力線搬送用ブレーカ装置５に送信する第２電力線搬送通信部６１（以降、第２ＰＬＣ部６１と称する。）と、コンセントＩＤを予め記憶する第２記憶部６２と、前記各部を制御する第２制御部６３とを備えた構成である。
【００２３】
以下に、配線検出システムＡの配線検出テスト時の動作に関して説明する。なお、初期状態（分電盤２の通常の使用状態）においては、既設ブレーカ３側に電力が供給されており、電力線搬送用ブレーカ装置５のテストスイッチ切替部５３は切断状態である。まず、配線検出テスト時においては、既設ブレーカ３と電力線搬送用ブレーカ装置５とが並列になるように、既設ブレーカ３の電力取得端子に電力線搬送用ブレーカ装置５の電力取得端子を接続し配線検出テストの準備を行う。
【００２４】
そして、通電検出部５７は、電力線搬送用ブレーカ装置５に電力が供給されて動作可能状態になったこと、つまり下位配線に正常な電力が供給できたか否かを検出し、下位配線の電力が正常であることを検出すると、第１制御部５９は、テストスイッチ切替部５３を切断状態から接続状態に切り替え、高周波チョーク５１と第１ＰＬＣ部５２とを同時、又は随時電力線１に接続させる。そして、第１制御部５９は、電力供給操作部５８を制御して、例えば機械的に既設ブレーカ３のブレーカ機能をオフすることで、既設ブレーカ３経由でのコンセント４への電力供給を停止させ、電力線搬送用ブレーカ装置５経由で配下のコンセント４に電力供給を行うようにする。
【００２５】
次に、第１制御部５９は、第１ＰＬＣ部５２を第２ＰＬＣ部６１とを電力線搬送通信させて、第２記憶部６２に記憶されているコンセント接続装置６のコンセントＩＤを電力線１経由で読み出させ、このコンセントＩＤを第１記憶部５５に記憶させる。なお、第１制御部５９は、コンセントＩＤの収集を全てのコンセント接続装置６に対して行う。そして、第１制御部５９は、収集した配下のコンセント接続装置６に対するコンセントＩＤを第１提示出力部５６に、文字表示、音声等にて提示する（第１実施形態においては、電力線搬送用ブレーカ装置５ａは、コンセント接続装置６ａ−１、６ａ−２、…に対するコンセントＩＤを表示する。また、電力線搬送用ブレーカ装置５ｂは、コンセント接続装置６ｂ−１、６ｂ−２、…に対するコンセントＩＤを表示する。）。第１制御部５９は、全ての配下のコンセント接続装置６に対するコンセントＩＤを取得完了すれば、電力供給操作部５８を制御し、既設ブレーカ３のブレーカ機能をオン状態にして、既設ブレーカ３経由で配下のコンセント４に電力が供給されるようにする。
【００２６】
最後に、配線検出テストが終了すれば、第１制御部５９は、テストスイッチ切替部５３を制御し、電力線搬送用ブレーカ装置５経由の電力供給を遮断して、分電盤２を通常の使用状態へと復帰させる。
【００２７】
なお、コンセント４の差込口（不図示）が複数ある場合には、１つの差込口にコンセント接続装置６を接続することができれば、家電機器等を接続したまま稼動中の家電機器等を停止させることなく、配線検出テストを正常に行うことができる。
【００２８】
ここで、内蔵ブレーカ５４は、配線検出テスト中に、配下の配線のコンセント４に接続されたコンセント接続装置６や家電機器等にショート等の問題が生じた場合に作動して、速やかに電力供給をストップさせ、既存配線やコンセント接続装置６、家電機器等を保護するような構成である。
【００２９】
ここで、電力線搬送用ブレーカ装置５は、配線検出テスト時にのみ既設ブレーカ３上に被せるように設置するようなものであっても、常時、既設ブレーカ３に並列に接続するようなものであってもいずれであってもよい。
【００３０】
また、電力搬送用ブレーカ装置５は、既設ブレーカ３に物理的にロックされるロック機構（不図示）を備えていてもよい。この場合、配線検出テスト中に既設ブレーカ３から電力搬送用ブレーカ装置５が外れてしまうことにより、配下の家電機器等への電力供給が途絶えてしまうという事態を防ぐのに好適である。なお、前述のロック機構は、第１制御部５９により配線検出テストにはしっかりとロックさせるように制御されていてもよい。
【００３１】
第１実施形態に係る配線検出システムＡは、コンセント接続装置６のコンセントＩＤを電力搬送用ブレーカ装置５側の第１提示出力部５６に提示出力できるので、既築の建物に対してリニューアル等の工事を重ねた末に配線状態が築当初の配線系統図からは全く見当もつかなくなってしまったというような複雑な配線状態に対しても、実際の配線をたどることなく、また、分電盤２配下に接続された稼動中の家電機器等への電力供給を停止させることなく、ユーザは、分電盤２とコンセント４間での対応関係を正確に把握することができる。
【００３２】
なお、第１提示出力部５６は、既設ブレーカ３の所定の記入場所に取得したコンセントＩＤを印字出力する機能を備えていてもよい。この場合、従来、施工者が各コンセントＩＤを分電盤２内の対応する既設ブレーカ３の所定箇所に手書きや目印シールを貼り付けていた作業が自動的になされるので、記入間違いなどの人為ミスがなくなる。
【００３３】
また、第１提示出力部５６は、コンセントＩＤを提示出力可能である他の外部機器（不図示）に対して出力するものであってもよい。この場合、外部機器がＰＣ等のデータ管理機能を備えたものであれば、外部機器において分電盤２とコンセント４間での対応関係を正確に管理することができる。
【００３４】
（第２実施形態）
次に、第１実施形態に係る配線検出システムＡにおいて更にコンセント接続装置の絶対位置情報を把握可能とした実施形態を本発明の第２実施形態として説明する。なお、本発明の第２実施形態に係る配線検出システムＡを示す説明図は、第１実施形態と同様であり、電力線搬送用ブレーカ装置５及びコンセント接続装置６を示すブロック図は、図２に破線で示す位置検出部６４、接続情報検出部６５を第１実施形態のコンセント接続装置６に付加したものである。
【００３５】
ここで、第２実施形態に係るコンセント接続装置６が図２（ｂ）に破線に示すように、位置検出部６４と、接続情報検出部６５とを更に備える点を除き、第２実施形態に係るコンセント接続装置６は、第１実施形態に係るコンセント接続装置６の構成と同様であるので、共通点の説明を省略する。
【００３６】
位置検出部６４は、自機の絶対位置情報を取得可能であるＧＰＳ（不図示）等の位置検出機能を備えており、第２制御部は、位置検出部を制御する。
【００３７】
また、接続情報検出部６５は、自機の第２ＰＬＣ部６１と配上の第１ＰＬＣ部５２との間での第１接続情報である通信品質、シグナルクオリティの情報を収集し、第１ＰＬＣ部５２へと送信する。
【００３８】
なお、配線検出システムＡの配線検出テスト時の動作に関しては、第１実施形態における、コンセント接続装置６のコンセントＩＤを第２ＰＬＣ部６１から第１ＰＬＣ部５２に送信するのに加え、第１接続情報も送信し、該第１接続情報も第１提示出力部５６に提示出力する点を除き、共通であるので説明は省略する。
【００３９】
第２実施形態に係る配線検出システムＡは、コンセント接続装置６に位置検出部６４を設けることで、コンセント接続装置６のコンセントＩＤと絶対位置情報を電力搬送用ブレーカ装置５側の第１提示出力部５６に提示出力できるので、分電盤２とコンセント４間での対応関係をコンセント４の位置情報を含めて正確に把握することができる。なお、例えば予め第１記憶部５５に配置図（不図示）を準備しておけば、この配置図にコンセントＩＤと絶対位置情報を合成すること、現在の配線状態を正確に表現した配線系統図（不図示）の作成が可能になる。
【００４０】
また、配線検出システムＡは、コンセント接続装置６に接続情報検出部６５を設けることで、ユーザは、電力線搬送通信において該当するコンセント４までの信号劣化状態を把握し、配線の品質、配線の劣化状態、配線長等に関する情報を収集し、該情報を電力搬送用ブレーカ装置５側の第１提示出力部５６で一括確認することができ、より詳細な配線図系統図を作成することができる。
【００４１】
なお、接続情報検出部６５は、通信品質、シグナルクオリティの代わりに、データ伝送時間、信号伝達時間を計測するようにしてもよい。この場合、ユーザは、データ伝送時間、信号伝達時間より分電盤２からコンセント４までの背後の電力線の配線長を計算することが可能になる。
【００４２】
例えば、位置検出部６４にＧＰＳを使用しコンセント接続装置６がこのＧＰＳにて絶対時刻を得ることができる場合、信号伝達時間は、第１ＰＬＣ部５２から所定のデータ信号を送信し、第２ＰＬＣ部６１でデータ信号を受信した絶対時間を計測し、その差を接続情報検出部６５で計算して求めてもよい。なお、この場合、電力搬送用ブレーカ装置５は、ＧＰＳ等の絶対時刻を取得する手段（不図示）を備える必要がある。
【００４３】
なお、位置検出部６４がＧＰＳではなく各コンセント接続装置６が絶対時刻を取得することができない場合には、接続情報検出部６５は、電力搬送用ブレーカ装置５とコンセント４間にて信号を往復させることによりターンアラウンドタイムを計測し、この計測結果から信号伝達時間を推測するようにしてもよい。
【００４４】
また、接続情報検出部６５は、各コンセント４に接続された各コンセント４接続装置同士（第２実施形態においては、コンセント４ａ−１、４ａ−２間やコンセント４ｂ−１、４ｂ−２間）のお互いの通信品質、シグナルクオリティ、又はデータ伝送時間、信号伝達時間を計測し、その結果を配上の電力搬送用ブレーカ装置５側の第１ＰＬＣ部５２に送信するようにしてもよい。この場合、各コンセント４間の配線の品質、配線の劣化状態を推測、配線長等を計算することが可能になり、より詳細な配線図系統図を作成することができる。
【００４５】
（第３実施形態）
最後に、他の実施形態を本発明の第３実施形態として説明する。なお、本発明の第３実施形態に係る配線検出システムＡを示す説明図は、第１、第２実施形態と同様であり、電力線搬送用ブレーカ装置５及びコンセント接続装置６を示すブロック図は、図２に二重破線で示す第２提示出力部６６を第１、第２実施形態のコンセント接続装置６に付加したものである。
【００４６】
なお、第３実施形態において、電力線搬送用ブレーカ装置５及びコンセント接続装置６を構成する各部のうち、第１、第２実施形態と異なる箇所のみを説明し、共通箇所の説明は省略する。
【００４７】
ここで、第３実施形態においては、配線検出システムＡ、電力線搬送用ブレーカ装置５及びコンセント接続装置６は、第１ＰＬＣ部５２が電力線搬送通信が可能でありコンセント接続装置６へ自機固有のブレーカＩＤを送信し、第１記憶部５５は、ブレーカＩＤを予め記憶する点を除いて、第１、第２実施形態と同様である。
【００４８】
また、コンセント接続装置６は、第２ＰＬＣ部６１が電力線搬送通信が可能であり電力線搬送用ブレーカ装置５からブレーカＩＤを受信し、第２記憶部６２が取得したブレーカＩＤを記憶し、更に、第２記憶部６２に記憶している情報を提示又は外部機器（不図示）に出力する第２提示出力部６６を備えた構成である点を除いて、第１、第２実施形態と同様である。
【００４９】
以下に、配線検出システムＡの配線検出テスト時の動作に関して説明する。なお、既設ブレーカ３経由ではなく電力線搬送用ブレーカ装置５経由で配下のコンセント４に電力供給を行うようにするまでは第１、第２実施形態と同様であるため説明は省略する。
【００５０】
第１制御部５９は、第１ＰＬＣ部５２を第２ＰＬＣ部６１とを電力線搬送通信させて、第１記憶部５５に記憶されているブレーカＩＤを電力線経由で読み出させ、各第２制御部６３は、配上である自機と接続した電力線搬送用ブレーカ装置５の第１記憶部５５に記憶されたブレーカＩＤを、第２ＰＬＣ部６１を制御し第１ＰＬＣ部５２経由で取得し第２記憶部６２に記憶させる。そして、第２制御部６３は、第２記憶部６２からブレーカＩＤ番号を読み出し第２提示出力部６６に、文字表示、音声等にて提示する。そして、第１制御部５９は、電力供給操作部５８を制御し、既設ブレーカ３のブレーカ機能をオン状態にして、既設ブレーカ３経由で配下のコンセント４に電力が供給されるようにする。
【００５１】
最後に、配線検出テストが終了すれば、第１制御部５９は、テストスイッチ切替部５３を制御し、電力線搬送用ブレーカ装置５経由の電力供給を遮断して、分電盤２を通常の使用状態へと復帰させる。なお、第２提示出力部６６は、ブレーカＩＤを提示出力可能である他の外部機器（不図示）に対して出力するものであってもよい。
【００５２】
第３実施形態に係る配線検出システムＡは、電力線搬送用ブレーカ装置５のブレーカＩＤをコンセント接続装置６側の第２提示出力部６６に提示出力できるので、既築の建物に対してリニューアル等の工事を重ねた末に配線状態が築当初の配線系統図からは全く見当もつかなくなってしまったというような複雑な配線状態に対しても、実際の配線をたどることなく、また、分電盤２配下に接続された稼動中の家電機器等への電力供給を停止させることなく、ユーザは、分電盤２とコンセント４間での対応関係を正確に把握することができる。
【００５３】
なお、第２提示出力部６６は、コンセント接続装置６が接続されているコンセント４表面、例えば居住者等の目に付きやすいコンセント４の室内側表面の所定箇所に取得したブレーカＩＤを印字出力する機能を備えていてもよい。この場合、従来、施工者が分電盤２内の既設ブレーカーＩＤ（つまり既設ブレーカ番号）を各コンセントに手書きや見印シールを貼り付けていたりした作業が、自動的になされ、これにより記入間違いなどの人為ミスがなくなり、かつ省略化することが可能になる。
【００５４】
ここで、第１実施形態乃至第３実施形態において、既設ブレーカ３の代わりに、主ブレーカとして電力線搬送用ブレーカ装置５の備えるブレーカ機能をそのまま使用してもよい。
【図面の簡単な説明】
【００５５】
【図１】本発明の第１〜第３実施形態に係る配線検出システムを示す構成図である。
【図２】本発明の第１〜第３実施形態に係る電力線搬送用ブレーカ装置、コンセント接続装置を示すブロック図である。
【符号の説明】
【００５６】
Ａ  配線検出システム
１  電力線
２  分電盤
３（３ａ、３ｂ）  既設ブレーカ
４（４ａ−１、４ａ−２、４ｂ−１、４ｂ−２）  コンセント
５（５ａ、５ｂ）電力線搬送用ブレーカ装置
６（６ａ−１、６ａ−２、６ｂ−１、６ｂ−２）  コンセント接続装置
５１  高周波チョーク
５２  第１ＰＬＣ部
５３  テストスイッチ切替部
５４  内蔵ブレーカ
５５  第１記憶部
５６  第１提示出力部
５７  通電検出部
５８  電力供給操作部
５９  第１制御部
６１  第２ＰＬＣ部
６２  第２記憶部
６３  第２制御部
６４  位置検出部
６５  接続情報検出部
６６  第２提示出力部
【図１】
2006197703.tif 000003
【図２】
2006197703.tif 000004